(57)【要約】      （修正有）【課題】授乳時に乳房を外部へ露出させることがないとともに、乳児が動いた場合にも窮屈さを感じさせることがなく、且つデザイン的にも違和感のない授乳用ケープの提供。【解決手段】着用者の首周りによって支持され、前部衿ぐり線と着用者の上半身との間に一定のクリアランスを形成する輪状のカラー部１２と、カラー部１２に沿って取り付けられ、着用者の背中を覆う後身頃と、カラー部１２の前部衿ぐり線に沿って取り付けられた前カバー１８とを備えている。【選択図】図１
0003129465.tif 000002
【実用新案登録請求の範囲】
【請求項１】
着用者の首周りによって支持され、前部衿ぐり線と着用者の上半身との間に一定のクリアランスを形成する輪状のカラー部と、
前記カラー部に沿って取り付けられ、着用者の背中を覆う後身頃と、
前記カラー部の前部衿ぐり線に沿って取り付けられた前カバーとを備えたことを特徴とする授乳用ケープ。
【請求項２】
前記カラー部には、首回りの長さ寸法を調整することが可能な寸法調整手段が設けられ、前部衿ぐり線と着用者の上半身前側との間のクリアランスを調整可能としたことを特徴とする請求項１に記載の授乳用ケープ。
【請求項３】
前記カラー部には、該カラー部の形態を保持する形態安定手段が設けられていることを特徴とする請求項１又は２に記載の授乳用ケープ。
【請求項４】
前記前カバーは、開放可能に形成され、ファスナー若しくはボタンによって閉塞可能であることを特徴とする請求項１〜３項のうち、いずれか１項に記載の授乳用ケープ。
【請求項５】
前記前カバーの左右の側端部は、前記後身頃、又は該後身頃から連続して取り付けられた左右の袖部に縫い合わされていないことを特徴とする請求項１〜３のうちいずれか1項に記載の授乳用ケープ。
【考案の詳細な説明】
【技術分野】
【０００１】
本考案は、乳児に授乳を行う場合に利用される授乳用ケープに関する。
【背景技術】
【０００２】
従来、乳児への授乳時に使用する衣服として、特開平１０−３１０９１５号公報記載の授乳用衣服が公知である。同公報記載の授乳用衣服は、前身頃に、乳房が位置する両側部分に縦方向に開口する２つの開口部を備えているとともに、前身頃に開口部を覆うカバー体が取り付けられており、このカバー体によって乳房を覆い、授乳中に乳房を露出させないようにしたものである。
【特許文献１】特開平１０−３１０９１５号公報
【０００３】
また、特開２００６−６３４７１号公報には、前身頃並び後身頃からなる授乳服の本体と、この本体の内側に取り付けられた内部前身頃等を備えた授乳服が開示されており、内部前身頃によって授乳時の乳房を覆うようになっている。
【特許文献２】特開２００６−６３４７１号公報
【考案の開示】
【考案が解決しようとする課題】
【０００４】
しかしながら、前述した特許文献１記載の授乳用衣服は、そのカバー体の左右の脇下線が前身頃に縫製されていないことから、乳児が動いたり足を動かした場合に、カバー体がめくり上がることがあり、乳房を確実に覆うことができないという課題があった。
さらに、特許文献２記載の授乳服は前身頃並び後身頃からなる授乳服の本体の内側に内部前身頃が配置され、授乳中の乳児は内部前身頃の内側に位置することになるが、この場合、乳児が動いた場合に動きを吸収するだけの余裕がなく、窮屈さは免れないといった問題点がある。
【０００５】
本考案は、このような諸事情に対処するために提案されたものであって、授乳時に乳房を外部へ露出させることがないとともに、乳児が動いた場合にも窮屈さを感じさせることがなく、且つデザイン的にも違和感のない授乳用ケープを提供することを目的とする。
【課題を解決するための手段】
【０００６】
上記目的を達成するために、請求項１記載の考案は、着用者の首周りによって支持され、前部衿ぐり線と着用者の上半身との間に一定のクリアランスを形成する輪状のカラー部と、前記カラー部に沿って取り付けられ、着用者の背中を覆う後身頃と、前記カラー部の前部衿ぐり線に沿って取り付けられた前カバーとを備えたことを特徴とする。
【０００７】
請求項２記載の考案は、上記１項において、前記カラー部には、首回りの長さ寸法を調整することが可能な寸法調整手段が設けられ、前部衿ぐり線と着用者の上半身前側との間のクリアランスを調整可能としたことを特徴とする。
【０００８】
請求項３記載の考案は、上記１項または２項において、前記カラー部には、該カラー部の形態を保持する形態安定手段が設けられていることを特徴とする。
【０００９】
請求項４記載の考案は、上記１項〜３項のうち、いずれか１項において、前記前カバーは、開放可能に形成され、ファスナー若しくはボタンによって閉塞可能であることを特徴とする。
【００１０】
請求項５記載の考案は、上記１項〜３項のうち、いずれか１項において、前記前カバーの左右の側端部は、前記後身頃、又は該後身頃から連続して取り付けられた左右の袖部に縫い合わされていないことを特徴とする。
【考案の効果】
【００１１】
上述のように、請求項１記載の考案によれば、着用者の首周りによって支持される輪状のカラー部と、着用者の背中を覆う後身頃と、カラー部の前部衿ぐり線に沿って取り付けられた前カバーとを備えている。これにより、ポンチョのように、すっぽりと被って使用することができ、授乳時に乳房の露出を確実に防止することが可能である。
【００１２】
特に、請求項２記載の考案によれば、着用者の首周りによって支持される輪状のカラー部に、首回りの長さ寸法を調整することが可能な寸法調整手段を設けている。このため、着用者や乳児の体格などに合わせて、カラー部の首周り寸法を調節することができ、快適な使用感をもたらすことができる。
【００１３】
特に、請求項３記載の考案によれば、着用者の首周りによって支持される輪状のカラー部に、その形態を保持する形態安定手段を設け、前部衿ぐり線と着用者の上半身との間に一定のクリアランスを形成するようにしている。このため、着用者が乳児を見ながら授乳することができ、乳児に安心感を与えながら、授乳を円滑に行うことが可能である。
【００１４】
特に、請求項４記載の考案によれば、前カバーを開放可能とするとともに、該前カバーに閉塞用のファスナー若しくはボタンを取り付けたので、授乳に際して乳児をケープ内に移動させるときは開放し、又、授乳中は閉じる、授乳後に乳児をケープから外へ移動させるときは開放するというように、状況に応じて前カバーを臨機応変に開放したり閉塞することができるので、より円滑な授乳動作が可能になる。
【００１５】
特に、請求項５記載の考案によれば、前カバーの左右の側端部は、前記後身頃、又は該後身頃から連続して取り付けられた左右の袖部に縫い合わされていないために、左右の側端部は、ひらひらと自由に動くことができる。このため、授乳時に前カバーによって乳児の動きを拘束することがなく、円滑に授乳することが可能となる。
【考案を実施するための最良の形態】
【００１６】
以下、本考案に係る授乳用ケープについて添付図面を参照して説明する。図１は本考案の一つの実施形態の授乳用ケープの概略斜視図、図２は正面図、図３は側面図、図４は背面図である。
【００１７】
図１〜図４に示されるように、本実施形態の授乳用ケープ１０は、カラー部１２と、後身頃１４と、左右の袖部１６Ａ，１６Ｂと、前カバー１８等とを主要な構成要素としている。
【００１８】
カラー部１２は、着用者の首周りに支持され、複数の布地を組み合わせることによって全体として三日月形の輪状に形成され、前側には形態安定部１２Ａが設けられている。
図５は、カラー部１２の形態安定部１２Ａを内側から見た図であり、同図に示されるように、カラー部１２の前部内側には、厚みのあるビニールなどの硬質な型材２０を、布地の間に入れるための挿入口２２が設けられている。また、挿入口２２には、閉じる際に利用するボタン２４が取り付けられている。型材２０を着脱自在としたのは定期的に行われる洗濯を考慮したものである。なお、形態安定部１２Ａは、本実施形態では、型材２０を布地との間に挿入することによって形成しているが、これに限らず、形態安定加工を布地に施して、型材２０を省略することも可能である。
【００１９】
形態安定部１２Ａは、この型材２０によってカラー部１２の前部側の形態をほぼ一定の曲率となるように保持し、カラー部１２の前部衿ぐり線と着用者の上半身との間に、一定のクリアランスを形成する。このクリアランスは、授乳中の乳児を、着用者（母親）が上から確認することができるようにするためのものである。
カラー部１２の後部側は、マジックテープ（登録商標）などの面ファスナーによって長さ寸法を調節可能な寸法調整手段１２Ｂを備え、一端１３Ａと他端１３Ｂとの間で、面ファスナーによって重なる長さを変更することで、着用者や乳児の体格などに合わせて、カラー部１２の首周り寸法を調節することができるようになっている。
【００２０】
図３及び図４に示されるように、後身頃１４は、カラー部１２の後部衿ぐり線の一部に沿って取り付けられ、着用者の背中から腰の部分を覆う長さを有している。なお、後身頃１４は、カラー部１２に対し、前述した寸法調整手段１２Ｂと重なる部分については縫い合わされていない。後身頃１４の左右には、袖部１６Ａ，１６Ｂが縫い合わされることによって連続して一体となって取り付けられている。
なお、後身頃１４に左右の袖部１６Ａ，１６Ｂを連続して取り付けるのではなく、後身頃１４を幅広となるように形成し、後身頃１４に袖部としての機能を併せ持たせて、袖部１６Ａ，１６Ｂを省略することも可能である。
【００２１】
図１〜図３に示されるように、カラー部１２の前部衿ぐり線に沿って前カバー１８が取り付けられている。この前カバー１８は、カラー部１２の形態安定部１２Ａによって、着用者の上半身との間に一定のクリアランスが形成され、授乳中の乳児の顔を着用者が確認することができるとともに、前カバー１８に膨らみを与えて、内部に位置する乳児が窮屈とならないようにしている。また、前カバー１８は、そのカラー部１２との取付部分にマチがつけられた状態で縫い合わされ、立体的な形状となるように配慮されている。
【００２２】
図６及び図７は、前カバー１８と左右の袖部１６Ａ，１６Ｂとの位置関係を示した正面図である。これらの図に示されるように、前カバー１８は、左右の側端部１８Ａ，１８Ｂが袖部１６Ａ，１６Ｂに対して縫い合わされていないために、矢印方向へひらひらと自由に動くことができる。これによって、乳児の動きを拘束することがないため、円滑に授乳することが可能となる。また、授乳の開始、又は終了時に、乳児を前カバーの内側又は外側へ容易に移動させることができる利点がある。
なお、前カバー１８は、二点差線に示すように左右の袖部１６Ａ，１６Ｂの一部に重ね合わされる寸法に形成されている。このため、着用者の腹部付近まで覆うことができるようになっている。
【００２３】
図８は、本実施形態の授乳用ケープ１０を使用した授乳時の様子を示す側面図である。同図に示されるように、カラー部１２がある程度の剛性を有しているために、授乳に際し、前部側に着用者（母親）が乳児を確認するためのクリアランスが形成されるとともに、乳児を抱くためのスペースが、前カバー１８と着用者の上半身との間に確保されている。このため、着用者が乳児を見ながら授乳することができるとともに、逆に乳児は着用者の顔を見ることができるため、円滑な授乳が可能になる。また、前カバーは、その端部を袖部１６Ａ，１６Ｂに対し縫い合わせることなく、自由に動くようにしているため、乳児の動きを規制しないため窮屈さを感じさせることがない。さらに、前カバー１８は、乳児をすっぽりと覆うだけの丈を有するので、授乳時に乳房が外部へ露出することもなく、又、デザイン的にも優れるという利点がある。
【００２４】
図９は、本実施形態の授乳用ケープ１０の収納時に使用する収納紐をカラー部１２に取り付けた状態を示す正面図、図１０は本実施形態の授乳用ケープ１０の収納状態を示した図である。
図９に示されるように、カラー部１２の前部側には、ゴム製などの伸縮可能な収納紐３０を取り付けている。図１０に示されるように、この収納紐３０は、授乳用ケープ１０を折り畳んだ後、ケープ１０の全体に掛けることによって、折り畳まれたケープ１０を一定の形態で、固定してケープ１０をコンパクトにまとめて収納することが可能になっている。これにより、外出などの際は持ち運びに便利となり、使い勝手が向上している。
【００２５】
図１１は、本実施形態の授乳用ケープの変形例を示した概略斜視図である。
同図に示されるように、授乳用ケープ４０は、前カバー４２を開放することができるとともに、前カバー４２を閉塞する３個のボタン４４Ａ、ボタン止め４４Ｂを取り付けた点が前述した授乳用ケープ１０とは相違する。これによれば、乳児をケープ４０内に移動させるときに、前カバー４２の前側を開放することができるので、授乳に際し、より円滑な動作が可能になる。
なお、ボタン４４Ａ、ボタン止め４４Ｂに替えて、面ファスナーや通常のファスナー（チャック）を用いることも可能である。
【００２６】
また、授乳用ケープ１０では、カラー部１２の首回りの長さ寸法を調整する寸法調整手段として、面ファスナーからなる寸法調整手段１２Ｂを用いていたが、図１１の授乳用ケープ４０では、カラー部１２に内臓された寸法調節用の紐４６、バネを備えたストッパ４８を利用して寸法の調節を行う点が相違する。この場合は、着用後においても紐４６の長さを調節することを容易に行うことができ、首周り寸法を自由に選ぶことができるという利点がある。
【００２７】
以上のように、本実施形態の授乳用ケープによれば、授乳時に前カバー１８によって乳房を確実にカバーすることができるとともに、乳児が動いた場合には前カバー１８が自由に動くことができるため、乳房を外部へ露出させることなく授乳を行うことが可能となる。また、ポンチョのようにかぶって使用するため、機能的且つデザイン的にも優れている。
【産業上の利用可能性】
【００２８】
以上説明したように、本考案によれば、授乳時における乳房の外部への露出を確実に防止し得るとともに、円滑な授乳を行うことが可能である。
【図面の簡単な説明】
【００２９】
【図１】本考案の一つの実施形態の概略斜視図である。
【図２】同じく、本考案の一つの実施形態に係る授乳用ケープの正面図である。
【図３】同じく、本考案の一つの実施形態に係る授乳用ケープの側面図である。
【図４】同じく、本考案の一つの実施形態に係る授乳用ケープの背面図である。
【図５】同じく、本考案の一つの実施形態に係る授乳用ケープの要部であるカラー部の形態安定部を内側から見た図である。
【図６】同じく、本考案の一つの実施形態に係る授乳用ケープの要部である前カバーと左右の袖部との位置関係を示した正面図である。
【図７】同じく、本考案の一つの実施形態に係る授乳用ケープの要部である前カバーと左右の袖部との位置関係を示した正面図である。
【図８】同じく、本考案の一つの実施形態に係る授乳用ケープを使用した授乳時の様子を示す側面図である。
【図９】本考案の一つの実施形態に係る授乳用ケープの収納時に使用する収納紐をカラー部に取り付けた状態を示す正面図である。
【図１０】図９に示される収納紐を利用した授乳用ケープの収納状態を示した図である。
【図１１】本考案に係る授乳用ケープの他の実施形態の概略斜視図である。
【符号の説明】
【００３０】
１０  授乳用ケープ
１２  カラー部
１２Ａ  形態安定部
１２Ｂ  寸法調整手段
１３Ａ  一端
１３Ｂ  他端
１４  後身頃
１６Ａ  １６Ｂ  袖部
１８  前カバー
２０  型材
２２  挿入口
２４  ボタン
３０  収納紐
４０  授乳用ケープ
４２  前カバー
４４Ａ  ボタン
４４Ｂ  ボタン止め
４６  紐
４８  ストッパ
【図１】
0003129465.tif 000003
【図２】
0003129465.tif 000004
【図３】
0003129465.tif 000005
【図４】
0003129465.tif 000006
【図５】
0003129465.tif 000007
【図６】
0003129465.tif 000008
【図７】
0003129465.tif 000009
【図８】
0003129465.tif 000010
【図９】
0003129465.tif 000011
【図１０】
0003129465.tif 000012
【図１１】
0003129465.tif 000013